(57)【要約】  本発明は、スポーツの分野に関し、特に、ゴルフコースの形態でのスポーツ及びレクリエーション用の施設の構築方法に関する。本発明の本質は、一群の確定的要素、すなわち、ティー、グリーン、フェアウェイ及びハザードを含む従来と同数のホールが在るゴルフコースにおいて、少なくとも１つのティーは、少なくとも２つのグリーンから標準的なプレイ距離以内であり、これにより、全ての確立された基準に対応して当該ゴルフコースでプレイするための新たなルートを創造するという事実に在る。本発明の技術的成果は、従来と同数の要素の存在下において、ゴルフコース上に異なる完全長のルートを創造することが可能であることから、競技内容の可変性が相当に高められると共に、構築費用が低減されるという事実に在る。
2019524201.tif 000002
【特許請求の範囲】
【請求項１】
一群の確定的要素、すなわち、ティー、グリーン、フェアウェイ及びハザードを含む従来と同数のホールが在るゴルフコースにおいて、
少なくとも１つのティーは、少なくとも２つのグリーンから標準的なプレイ距離以内であり、これにより、ティーの個数がグリーンの個数に一致すると共に、全ての確立された基準に対応して当該ゴルフコースでプレイするための新たなルートを創造する新たな複数のホールを形成することを特徴とするゴルフコース。
【発明の詳細な説明】
【技術分野】
【０００１】
本発明は、スポーツの分野に関し、特に、ゴルフコースの形態でのスポーツ及びレクリエーション用の施設の構築方法に関する。
【背景技術】
【０００２】
任意の有形物と同様に、ゴルフコースの設計は、確定的な構築要素、すなわち、それらの形状、規模、相対位置などの組み合わせにより特徴付けられ得る。ゴルフコースの典型的な設計態様は、幾つかの基準を満足すると共に多くの場合には１８以下である複数のプレイ区域（ホール）を含む２０〜１００ヘクタール以上の広大な土地の区画である。従来、１８ホールのゴルフコースは、各々が９ホールである２つの部分に分割されることで、選択により、１８ホール又は９ホールのみをプレイすることが可能とされる。各ホールは、相互から標準的なプレイ距離以内に配置された、ティー領域、すなわちティーで開始すると共に、グリーン、すなわち、実際のホール、すなわちボールが転がり込む陥没部（ホール陥没部）が載置されて最短の芝を有するという領域により終了する。各グリーンの面積は約６００〜６５０平方メートルであるが、それらの規模に対して明確な基準はない。さらに、グリーンは、完全に平坦な領域ではない。ボールを転がすときに曲がることを許容するために、ブレイクとして知られるアンジュレーションが生成される。但し、グリーンにおいては、ホール陥没部の載置を許容するために、アンジュレーションが制限された箇所（約１メートルの直径）が在るべきである。
【０００３】
ホールのプレイ長さを決定するために、条件的基準である「パー」、すなわち、ゴルファーが好首尾な競技内容によりホール全体を完結すべきストロークの数が使用される。パーは、ティーからグリーンの中央までの実際の長さにより、且つ、各ホールの競技内容の困難さにより、決定される。各ホールの基準は、パー３のホールは長さが２３５メートル（２５７ヤード）未満とされ、パー４のホールは２２０〜４５０メートル（２４１〜４９２ヤード）の範囲とされ、パー５のホールは長さが４１５メートル（４５４ヤード）超とされるべきであるような方法のハンディキャップシステムで決定される。「パー」基準の定義における実際の長さに加え、起伏、障害物の存在、風の方向、というそのホールの競技内容の複雑さがさらに考慮される。故に、４３０メートル（４７０ヤード）の実際長を有するホールは、そのホールの競技内容の複雑さに依存して、「パー４」又は「パー５」に分類され得る。
【０００４】
各ホールのパーの合計が、コースの全体的パーである（通常は、１８ホールの標準的コースに対して７０〜７２に等しい）。
【０００５】
ティー及びグリーンに加え、各ホールは、フェアウェイ、すなわち、ティーとグリーンとの間におけるプレイ面の殆どを占有する中間高さの芝を備えた領域を有する。フェアウェイは、両側にて、当該領域からのショットを相当に困難とし得るラフ又はセミラフとして知られるさらに長い芝により囲繞される。各ホール内、及び、それらの回りの種々の場所には、種々のハザード、すなわち、特にプレイ面上に構築された該面上の要素が配置されることで、競技内容を難しくしている。ハザードとして、例えば、池、サンドトラップバンカーなどの人工的に作成された物体、及び、例えば、木、灌木、丘などの景観における自然の物体が使用され得る。
【０００６】
ゴルフコースの典型的な設計態様は、短い距離範囲にて、特に各ホールが対向するなら、相互に平行なホールは含まない、というのも、一方のホールから打たれたボールが、平行なホール上のプレーヤに当たり得るからである。さらに、２つのホールの交錯は許容されない、というのも、ハザードの存在の故に、同一のホール上の複数のプレーヤが、交錯しているホール上でプレイしているプレーヤを認識し得ないからである。ゴルフコースの構築における斯かる制約は、プレーヤの安全性の条件に基づいて導入される。
【０００７】
従来のゴルフコースは、それらが、ホール番号、その長さ及びその対応するパーを表す、いわゆるスコアカードにおいて正式に決定された１つの所定のルートを有するような方法で、設計且つ構築される。
【０００８】
各プレーヤは、（１８ホールを備えるコースにおいて）ホール番号１にて競技を開始し、連続番号のホールに追随し、ホール番号１８に至るべく一貫して移動する（［Ｃｏｍｐｌｅｔｅ  Ｅｎｃｙｃｌｏｐｅｄｉａ．  Ｇｏｌｆ．  Ｍｏｓｃｏｗ．  ＡＳＴ  Ａｓｔｒｅｌ．  ２０１５．  ｐ．２５２−３９１  −  ｗｗｗ．ｄｋ．ｃｏｍ］）。
【０００９】
ゴルフコースの典型的な設計態様の主な欠点は、経路が事前決定されることである、というのも、周囲条件に関わらず、コースで定常的にプレイするプレーヤは、一定期間の後、如何に打つべきか、ボールが何処に着地するか、及び、１つ又は別のハザードを如何にして回避するかを、非常に正確に認識するからである。すると、そのコースに対する課題が無くなることから、プレーヤに対するそれの魅力が失われ、他のゴルフコースに移る必要が出てくる。この故に、各ゴルフリゾートにては原則として、幾つかのゴルフコースが構築されることから、余分なコースを構築して運営する必要性に伴い、ゴルフクラブの経済効率が相当に低下する。
【００１０】
ゴルフコースのルートにおける可変性に対する傾向は、後者の設計及び構築における支配的な流れであり、このことは、多くの国々における相当数の許可済み特許及び登録済み出願において確認されており、それらの内の最も典型的なものが、先行技術及びプロトタイプとして本明細書内に組み込まれる。
【００１１】
特許文献１によれば、９ホールから成るゴルフコースが知られ、その特徴は、各グリーンが、変化するプレイ性により特徴付けられる２つのティー及び１つのフェアウェイを有することである。故に、９ホールのゴルフコースが実際には１８ホール及び２つのルートを有し、すなわち、それは、相当な構築費用によりながらも低い可変性を有している。
【００１２】
本発明のプロトタイプとして、特許文献２に係る技術的解決策が選択される。そのゴルフコースの設計態様は特許されており、それに基づくと、従来的な数、すなわち１８のホール、及び、一群の確定的要素、すなわち、ティー、グリーン、フェアウェイ及びハザードが配置される。その解決策の固有の特徴は、ホールの各々が、異なる場所において且つ異なるパーを以て配置された複数のティーを有することである。故に、異なるティーからの競技は一定の変化性を導入するが、基本的に、ルートは事前決定されたままであり、すなわち、各ホールをプレイしてグリーンに進入する順番は常に同一である。これに加え、もし各ホールが３から５までのパーを有するティー群を備えるなら、ゴルフコースの面積、及び、結果として構築費用は、相当に増大する。
【先行技術文献】
【特許文献】
【００１３】
【特許文献１】米国特許第３，１５６，４７０号明細書
【特許文献２】国際公開第２００１０２６７４３号パンフレット
【発明の概要】
【発明が解決しようとする課題】
【００１４】
本発明の目的は、ゴルフコースにおける同一群の要素の存在において、そのルートの数を増加し、最終的に競技内容の可変性を高めることである。
【課題を解決するための手段】
【００１５】
本願の課題は、一群の確定的要素、すなわち、ティー、グリーン、フェアウェイ及びハザードを含む従来と同数のホールが在るゴルフコースにおいて、少なくとも１つのティーが少なくとも２つのグリーンから標準的なプレイ距離内に在ることにより、確立された全ての競技基準に対応して上記コースをプレイする新たなホールを形成し、すなわち、新たなルートを創造する、という事実により達成される。
【発明の効果】
【００１６】
本発明の技術的成果は、従来と同数の要素の存在下において、ゴルフコース上に異なる完全長のルートを創造することが可能であることから、競技内容の可変性が相当に高められると共に、構築費用が低減されるという事実に在る。
【図面の簡単な説明】
【００１７】
【図１】従来と同一群の要素を備え乍らも３つのルートが布置された同一の１８ホールのゴルフコースの概略的なイメージを与える図である。
【図２】従来と同一群の要素を備え乍らも３つのルートが布置された同一の１８ホールのゴルフコースの概略的なイメージを与える図である。
【図３】従来と同一群の要素を備え乍らも３つのルートが布置された同一の１８ホールのゴルフコースの概略的なイメージを与える図である。
【発明を実施するための形態】
【００１８】
本発明の実施形態の一例として、ロシア、レニングラード州のフセヴォロシスク地区（Ｖｓｅｖｏｌｏｚｈｓｋ  Ｄｉｓｔｒｉｃｔ  ｏｆ  ｔｈｅ  Ｌｅｎｉｎｇｒａｄ  Ｒｅｇｉｏｎ，  Ｒｕｓｓｉａ）において設計且つ構築されたゴルフコースが選択された。基本的な競技ルートは図１に示され、その場合、位置１、２、３、…１８は１８ホールのコースのティーを表し、且つ、対応グリーンは位置１ｄ、２ｄ、３ｄ、…１８ｄにより表される。本明細書によれば、図面（図２及び図３）中に示された残りのゴルフコース上のティー及びグリーンの付番法は、図１における付番法に対応する。各請求項の特徴部分によれば、権利請求された主題において、「少なくとも１つのティーは、少なくとも、２つのグリーンまで標準的なプレイ距離内に在る」と述べられた場合、斯かるティーの数は１つより多く、これにより、競技ルートの数を特に３まで増大することが許容され、このことは図面中では、丸で囲まれた数字として、対応ルートの番号を表す太実線として示される。２つのグリーンまで標準的な距離内である１つのティーの原理は、記述されたゴルフコースの全てティーに及ぶ。この状況によれば、基本的に、ルートの数を、３より多く、すなわち、図面中に示されたルートの数より多く増大することが許容される。以下においては、３通りの競技ルートの経路選定の順序における各ルートの条件イメージが導入される。
【００１９】
ルート１（図１）：１−１ｇ、２−２ｇ、３−３ｇ、４−４ｇ、５−５ｇ、６−６ｇ、７−７ｇ、８−８ｇ、９−９ｇ、１０−１０ｇ、１１−１１ｇ、１２−１２ｇ、１３−１３ｇ、１４−１４ｇ、１５−１５ｇ、１６−１６ｇ、１７−１７ｇ、１８−１８ｇ。
【００２０】
図１に対応するゴルフコースのスコアカード
【表１】
2019524201.tif 000003
【００２１】
ルート２（図２）：１０−８ｇ、９−７ｇ、８−６ｇ、７−５ｇ、６−４ｇ、４−３ｇ、４−２ｇ、３−１ｇ、２−９ｇ、１０−１１ｇ、１２−１０ｇ、１１−１２ｇ、１２−１３ｇ、１４−１２ｇ、１３−１７ｇ、１７−１５ｇ、１６−１４ｇ、１５−１８ｇ。
【００２２】
図２に対応するゴルフコースのスコアカード
【表２】
2019524201.tif 000004
【００２３】
ルート３（図３）：１０−４ｇ、５−８ｇ、９−７ｇ、８−６ｇ、７−５ｇ、６−４ｇ、４−２ｇ、３−１ｇ、２−９ｇ、１０−１１ｇ、１２−１０ｇ、１１−１２ｇ、１３−１４ｇ、１３−１６ｇ、１５−１４ｇ、１５−１３ｇ、１４−１２ｇ、１５−１８ｇ。
【００２４】
図３に対応するゴルフコースのスコアカード
【表３】
2019524201.tif 000005
【００２５】
ティーは、競技が各プレイ区域において開始すべく意図的に構築されたティー領域であることを銘記すべきである。その場所には、幾つかの開始位置が在り得る。一例は、３つの開始位置が在る番号１５により表されたティー、又は、２つの開始位置を備えるティー１０である。
【図１】
2019524201.tif 000006
【図２】
2019524201.tif 000007
【図３】
2019524201.tif 000008
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
一群の確定的要素、すなわち、ティー、グリーン、フェアウェイ及びハザードを含む従来と同数のホールを具備するゴルフコースにおいて、
少なくとも１つのティーは、少なくとも２つのグリーンから標準的なプレイ距離以内であり、これにより、且つ、(関連するならば)他の確定的要素の配置及び形状により、ティーの個数がグリーンの個数に一致する、統制されたスポーツとしてのプロ及びノンプロ(アマチュア)用のゴルフの全ての確立された基準に対応して当該ゴルフコースでプレイするための新たなルートを創造する新たな複数のホールを形成することを特徴とするゴルフコース。
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
一群の確定的要素、すなわち、ティー、グリーン、フェアウェイ及びハザードを含む従来と同数のホールを具備するゴルフコースにおいて、
少なくとも１つのティーは、少なくとも２つのグリーンから標準的なプレイ距離（すなわち、パー３、パー４又はパー５のプレイ距離）以内であり、これにより、且つ、（関連するならば）他の確定的要素の配置及び形状により、ティーの個数がグリーンの個数に一致する、統制されたスポーツとしてのプロ及びノンプロ（アマチュア）用のゴルフの全ての確立された基準に対応して当該ゴルフコースでプレイするための新たなルートを創造する新たな複数のホールを形成することを特徴とするゴルフコース。
【請求項２】
第１群のプレイ区画（ホール）を含む第１の所定のゴルフコースのルート（すなわち固有のスコアカードを有するコース）であって、前記第１群のプレイ区画の各々が、
ティー領域と、
ホールを備えたグリーンと、
任意には、前記ティー領域から前記グリーンへ延びるフェアウェイと、
任意には、前記フェアウェイの縁の少なくとも一部に沿って延びるラフと、
任意には、前記フェアウェイに沿って配置された１つ又は複数のハザードであって、池、トラップ、バンカー、灌木、木、丘などのハザードと、
を含む固有の一群の確定的要素を有する第１の所定のゴルフコースのルートと、
第２群のプレイ区画（ホール）を含む第２の所定のゴルフコースのルート（すなわち固有のスコアカードを有するコース）であって、前記第２群のプレイ区画の各々が、
ティー領域と、
ホールを備えたグリーンと、
任意には、前記ティー領域から前記グリーンへ延びるフェアウェイと、
任意には、前記フェアウェイの縁の少なくとも一部に沿って延びるラフと、
任意には、前記フェアウェイに沿って配置された１つ又は複数のハザードであって、池、トラップ、バンカー、木、灌木、丘などのハザードと、
を含む固有の一群の確定的要素を有する第２の所定のゴルフコースのルートと、
関連するならば、さらなるプレイ区画（ホール）を含むさらなる所定のゴルフコースのルート（すなわち固有のスコアカードを有するコース）であって、前記さらなるプレイ区画の各々が、
ティー領域と、
ホールを備えたグリーンと、
任意には、前記ティー領域から前記グリーンへ延びるフェアウェイと、
任意には、前記フェアウェイの縁の少なくとも一部に沿って延びるラフと、
任意には、前記フェアウェイに沿って配置された１つ又は複数のハザードであって、池、トラップ、バンカー、木、灌木、丘などのハザードと、
を含む固有の一群の確定的要素を有するさらなる所定のゴルフコースのルートと、
を具備し、
少なくとも１つのティー領域と少なくとも２つのグリーンとの間の距離が、パー３、パー４又はパー５のプレイ距離以内であり、
前記所定のゴルフコースのルートの各々が、他の前記所定のゴルフコースのルートの各々と異なり、
前記所定のゴルフコースのルートの１つのみが、いずれの時点においてもプレイ可能であり、
前記所定のゴルフコースのルートの各々が、当該ゴルフコース又はその任意の要素を変更することなくプレイ可能であり、ティー領域、グリーン、並びに、関連するならば、フェアウェイ、ラフ及びハザードである他の要素を含む固有の一群の確定的要素の各々が、当該ゴルフコースにおいて、事前設計され且つ開発された関連する確定的要素を有し、
誤解を避けるために、ティー領域の個数がグリーンの個数に一致し、ティー領域の総数が、当該ゴルフコースにおいて、グリーンの総数及びプレイ区画（ホール）の総数と等しい（すなわち、９ホールのゴルフコースに対して９個のティー領域及び９個のグリーンがあり、１８ホールのゴルフコースに対して１８個のティー領域及び１８個のグリーンがある）請求項１に記載のゴルフコース。
【請求項３】
少なくとも１つのティー領域と３つ又は４つ又はそれ以上のグリーンとの間の距離が、パー３、パー４又はパー５のプレイ距離以内である請求項１に記載のゴルフコース。
【請求項４】
第３群のプレイ区画（ホール）を含む第３の所定のゴルフコースのルート（すなわち固有のスコアカードを有するコース）であって、前記第３群のプレイ区画の各々が、
ティー領域と、
ホールを備えたグリーンと、
任意には、前記ティー領域から前記グリーンへ延びるフェアウェイと、
任意には、前記フェアウェイの縁の少なくとも一部に沿って延びるラフと、
任意には、前記フェアウェイに沿って配置された１つ又は複数のハザードであって、池、トラップ、バンカー、木、灌木、丘などのハザードと、
を含む固有の一群の確定的要素を有する第３の所定のゴルフコースのルートと、
関連するならば、さらなるプレイ区画（ホール）を含むさらなる所定のゴルフコースのルート（すなわち固有のスコアカードを有するコース）であって、前記さらなるプレイ区画の各々が、
ティー領域と、
ホールを備えたグリーンと、
任意には、前記ティー領域から前記グリーンへ延びるフェアウェイと、
任意には、前記フェアウェイの縁の少なくとも一部に沿って延びるラフと、
任意には、前記フェアウェイに沿って配置された１つ又は複数のハザードであって、池、トラップ、バンカー、木、灌木、丘などのハザードと、
を含む固有の一群の確定的要素を有するさらなる所定のゴルフコースのルートと、
をさらに具備し、
各ティー領域と少なくとも２つのグリーンとの間の距離が、パー３、パー４又はパー５のプレイ距離以内であり、
前記所定のゴルフコースのルートの各々が、他の前記所定のゴルフコースのルートの各々と異なる請求項２に記載のゴルフコース。
【国際調査報告】
2019524201.tif 000009
2019524201.tif 000010